(57)【要約】【課題】光源ランプの光をできるだけ広範囲に照射し、その照射領域の輪郭が曖昧で空間が全体的にぼんやりとした雰囲気となるように光を反射することができる反射笠であって、しかも、インテリア性を具備する反射笠を提供する。【解決手段】光源ランプ３の光を照射方向に反射させる反射笠１０であって、反射面を構成する複数の連接した四角形の金属板１を、光源ランプ３を段状に取り囲むように備え、一つの四角形の金属板１は、当該四角形の金属板１と隣接する四つの四角形の金属板１のうち少なくも一つの四角形の金属板１と、光の反射率及び拡散率が異なっている。また、複数の連接した四角形の金属板１は、平面視で円環状に配置され、且つ側面視で７段以上に配置されている。【選択図】図１
2016091656.tif 000002
【特許請求の範囲】
【請求項１】
光源ランプの光を照射方向に反射させる反射笠であって、
反射面を構成する複数の連接した四角形の金属板を、前記光源ランプを段状に取り囲むように備え、一つの四角形の金属板は、当該四角形の金属板と隣接する四つの四角形の金属板のうち少なくも一つの四角形の金属板と、光の反射率及び／又は拡散率が異なっている反射笠。
【請求項２】
前記複数の連接した四角形の金属板は、平面視で円環状に配置され、且つ側面視で７段以上に配置されている請求項１に記載の反射笠。
【請求項３】
前記光源ランプの取り付け位置を中心として、同一の反射率及び拡散率である四角形の金属板が放射状に配置されている請求項１又は２に記載の反射笠。
【請求項４】
前記光源ランプの取り付け位置を中心として、同一の反射率及び拡散率である四角形の金属板が同心円状に配置されている請求項１又は２に記載の反射笠。
【請求項５】
前記光源ランプの取り付け位置を中心として、同一の反射率及び拡散率である四角形の金属板が頂点を共有するように配置されている請求項１又は２に記載の反射笠。
【請求項６】
前記複数の連接した四角形の金属板は、光の拡散率が６０〜７８％である第一金属板と、光の拡散率が１２％未満である第二金属板とを含むように構成されている請求項１〜５の何れか一項に記載の反射笠。
【請求項７】
前記複数の連接した四角形の金属板は、光の反射率が９７〜９８％である第一金属板と、光の反射率が９４〜９５％である第二金属板とを含むように構成されている請求項１〜６の何れか一項に記載の反射笠。
【請求項８】
前記光源ランプは、メタルハライドランプ、セラミックメタルハライドランプ、高圧ナトリウムランプ、及び水銀ランプからなる群から選択される一つである請求項１〜７の何れか一項に記載の反射笠。
【発明の詳細な説明】
【技術分野】
【０００１】
本発明は、照明器具の光源ランプの光を照射方向に反射させる反射笠に関する。
【背景技術】
【０００２】
ルームライト、ダウンライト、スポットライト、車両用ヘッドライト等の照明器具は、照射効率を向上させるために、光源ランプからの光を照射方向に反射させる反射面を有する反射笠が備え付けられている。このような反射笠を設けることにより、光源ランプの光を照射対象に均一な明るさで照らすことができる。しかし、飲食店や商業店舗等によっては、必ずしも明るさが強いことや、室内の隅々まで光を照らすことが望まれるわけではない。例えば、一定の明るさはあるが、空間を全体的にぼんやりとした雰囲気にしたい、つまり、光が照射された領域と照射されていない領域との境界が判然とせず、照射対象をぼかすように照射したい場合もある。また、最近では、機能性と意匠性とを両立させた製品が消費者に好まれる傾向がある。そのため、反射笠にもインテリアとしてのデザイン性が求められている。
【０００３】
従来の反射笠の一例として、配光制御を行うことで消費電力を増やすことなく照明器具の照度向上を図ろうとする製品があった（例えば、特許文献１を参照）。特許文献１の反射笠は、鏡面処理金属薄板を曲面にして傾斜部とし、これを上下段に組み合わせ、帯板を屈曲させたフレームで支持固定した構成となっている。このような構成であることから、反射笠の傾斜角度を調整することによって、光源ランプの反射方向を調整（配光制御）できること、低コストで照明器具の照度向上を図れること、器具効率がアップし消費電力を低く抑えてエネルギー使用量を削減できること等が記載されている。
【０００４】
また、反射率が高く、反射にムラのない反射面を具備した照明器反射笠も知られている（例えば、特許文献２を参照）。特許文献２の照明器反射笠は、アルミ板にへら絞り加工を加えて一枚板に形成され、その外側面が実質的に曲面のみからなるように構成されている。このような構成であることから、形状自由度が高くなり、曲面の曲率を変更する等により、用途に応じて反射効率の最も高い最適な形状を選択することができると記載されている。
【先行技術文献】
【特許文献】
【０００５】
【特許文献１】特開２０１２−９２２３号公報
【特許文献２】特開２０１２−１１４０５３号公報
【発明の概要】
【発明が解決しようとする課題】
【０００６】
ところが、特許文献１の反射笠は、光源ランプの光が照射領域に到達すると、当該照射領域の輪郭が生じ、照射領域と非照射領域との境界が明瞭になってしまうと考えられる。このことから、特許文献１の反射笠は、照射領域の輪郭をぼかす効果を狙った製品ではないと考えられる。
【０００７】
特許文献２の反射笠は、ランプからの可視光の乱反射が重畳的に促進されるため、反射効率を高めることができる。このことから、特許文献２の反射笠も特許文献１の反射笠と同様に、照射領域と非照射領域との境界が明瞭となるように光を照射することは可能であるが、これとは逆に、照射領域の輪郭をぼかすように光を照射することは困難である。
【０００８】
このように、特許文献１や特許文献２に代表される従来の反射笠は、光源ランプの光の照射方向を調整し、照射領域に対してできるだけ均一に照度の強い光を照射することを意図としたものである。一方、これとは逆に、光源ランプの光を照射可能な領域を広く確保し、且つ照射領域と非照射領域との境界が曖昧で空間が全体的にぼんやりとした雰囲気を醸し出すことができる反射笠も求められている。しかし、従来の反射笠ではこのようなニーズに応えることは困難である。
【０００９】
本発明は、上記問題点に鑑みてなされたものであり、光源ランプの光をできるだけ広範囲に照射し、その照射領域の輪郭が曖昧で空間が全体的にぼんやりとした雰囲気となるように光を反射することができる反射笠であって、しかも、インテリア性を具備する反射笠を提供することにある。
【課題を解決するための手段】
【００１０】
上記課題を解決するための本発明に係る反射笠の特徴構成は、
光源ランプの光を照射方向に反射させる反射笠であって、
反射面を構成する複数の連接した四角形の金属板を、前記光源ランプを段状に取り囲むように備え、一つの四角形の金属板は、当該四角形の金属板と隣接する四つの四角形の金属板のうち少なくも一つの四角形の金属板と、光の反射率及び／又は拡散率が異なっていることにある。
【００１１】
本構成の反射笠は、反射面を構成する複数の連接した四角形の金属板が光源ランプを段状に取り囲むように備えているため、光源ランプの光を効率良く反射させることができる。また、本発明の反射笠を構成する四角形の金属板は、一つの四角形の金属板が当該四角形の金属板と隣接する四つの四角形の金属板のうち少なくも一つの四角形の金属板と、光の反射率及び／又は拡散率が異なるように構成される。つまり、光の反射率及び／又は拡散率が異なる少なくとも二種類の四角形の金属板から反射笠が構成されている。このような構成であれば、反射笠の周縁から光が椀状に出射され、光の照射範囲が広がる。また、上記のような構成であるため、本発明の反射笠から出射される光は、光の反射率及び拡散率が同一である金属板から構成されている反射笠を用いた場合よりも、光の照度分布が広くなる。これにより、光が照射された領域（照射領域）と、照射されていない領域（非照射領域）との境界が曖昧となる。このため、本発明の反射笠であれば、ある程度の明るさを維持しながら、全体的にぼんやりとした雰囲気を醸し出す特徴的な照明空間を作り出すことが可能となる。
【００１２】
本発明に係る反射笠において、
前記複数の連接した四角形の金属板は、平面視で円環状に配置され、且つ側面視で７段以上に配置されていることが好ましい。
【００１３】
本構成の反射笠は、複数の連接した四角形の金属板が平面視で円環状に配置され、且つ側面視で７段以上に配置されているため、光源ランプの光が効率良く反射し、光の照射範囲を広げることができる。また、四角形の金属板を連接させて多段階構造としているため、デザイン性に優れた反射笠となる。
【００１４】
本発明に係る反射笠において、
前記光源ランプの取り付け位置を中心として、同一の反射率及び拡散率である四角形の金属板が放射状に配置されていることが好ましい。
【００１５】
本構成の反射笠は、光源ランプの取り付け位置を中心として、同一の反射率及び拡散率である四角形の金属板が放射状に配置されているため、光源ランプの光が四角形の金属板で反射すると、光は効果的に反射笠の周縁から椀状に出射される。このとき、光の照度分布が広くなるため、照射領域と非照射領域との境界が曖昧となり、ある程度の明るさを維持しながら、全体的にぼんやりとした雰囲気を醸し出す特徴的な照明空間を作り出すことが可能となる。また、同一の反射率及び拡散率である四角形の金属板を放射状に配置したことによって特徴的な外観となり、優れたデザイン性を有する反射笠となる。
【００１６】
本発明に係る反射笠において、
前記光源ランプの取り付け位置を中心として、同一の反射率及び拡散率である四角形の金属板が同心円状に配置されていることが好ましい。
【００１７】
本構成の反射笠は、光源ランプの取り付け位置を中心として、同一の反射率及び拡散率である四角形の金属板が同心円状に配置されているため、光源ランプの光が四角形の金属板で反射されると、光は効果的に反射笠の周縁から椀状に出射される。このとき、光の照度分布が広くなるため、照射領域と非照射領域との境界が曖昧となり、ある程度の明るさを維持しながら、全体的にぼんやりとした雰囲気を醸し出す特徴的な照明空間を作り出すことが可能となる。また、このような反射笠は、各段の四角形の金属板を円環状に連接させ、それらを接続して段状に組み立てるという工程により製造できるため、特殊な工具や技術等を必要とせず、製造が容易である。また、同一の反射率及び拡散率である四角形の金属板を同心円状に配置したことによって特徴的な外観となり、優れたデザイン性を有する反射笠となる。
【００１８】
本発明に係る反射笠において、
前記光源ランプの取り付け位置を中心として、同一の反射率及び拡散率である四角形の金属板が頂点を共有するように配置されていることが好ましい。
【００１９】
本構成の反射笠は、光源ランプの取り付け位置を中心として、同一の反射率及び拡散率である四角形の金属板が頂点を共有するように配置されているため、光源ランプの光が四角形の金属板で反射されると、光は効果的に反射笠の周縁から椀状に出射される。このとき、光の照度分布が広くなるため、照射領域と非照射領域との境界が曖昧となり、ある程度の明るさを維持しながら、全体的にぼんやりとした雰囲気を醸し出す特徴的な照明空間を作り出すことが可能となる。また、同一の反射率及び拡散率である四角形の金属板が頂点を共有するように配置されていることによって特徴的な外観となり、優れたデザイン性を有する反射笠となる。
【００２０】
本発明に係る反射笠において、
前記複数の連接した四角形の金属板は、光の拡散率が６０〜７８％である第一金属板と、光の拡散率が１２％未満である第二金属板とを含むように構成されていることが好ましい。
【００２１】
本構成の反射笠は、複数の連接した四角形の金属板が、上記のような光の拡散率が異なる二種類のものから構成されている。このため、光源ランプの光を効果的に拡散させ、光の照射可能な範囲を広げることができる。
【００２２】
本発明に係る反射笠において、
前記複数の連接した四角形の金属板は、光の反射率が９７〜９８％である第一金属板と、光の反射率が９４〜９５％である第二金属板とを含むように構成されていることが好ましい。
【００２３】
本構成の反射笠は、複数の連接した四角形の金属板が、上記のような光の反射率が異なる二種類のものから構成されている。このため、光源ランプの光を効果的に反射させ、光の照射可能な範囲を広げることができる。
【００２４】
本発明に係る反射笠において、
前記光源ランプは、メタルハライドランプ、セラミックメタルハライドランプ、高圧ナトリウムランプ、及び水銀ランプからなる群から選択される一つであることが好ましい。
【００２５】
本構成の反射笠は、上掲の光源ランプとの相性が良いため、特徴的な照明空間を効果的に作り出すことができる。
【図面の簡単な説明】
【００２６】
【図１】図１は、本発明の反射笠の全体構成を示す斜視図である。
【図２】図２は、本発明の反射笠を示す図である。
【図３】図３は、光源ランプに反射笠を設けたときの照射に関する説明図である。
【図４】図４は、第一実施形態に係る反射笠を示す図である。
【図５】図５は、第二実施形態に係る反射笠を示す図である。
【図６】図６は、第三実施形態に係る反射笠を示す図である。
【図７】図７は、第四実施形態に係る反射笠を示す図である。
【発明を実施するための形態】
【００２７】
以下、本発明に係る反射笠の実施形態について、図１〜図７を参照しながら説明する。ただし、本発明は、以下に説明する実施形態や図面に記載される構成に限定されることを意図しない。
【００２８】
＜反射笠の全体構成＞
図１は、本発明に係る反射笠１０の全体構造を示す斜視図である。図２は、反射笠１０を示す図であり、図２（ａ）は、反射笠１０の平面図であり、図２（ｂ）は、反射笠１０の側面図である。反射笠１０は、後述の図３に示す光源ランプ３の光を照射方向に反射させる目的で使用される。図１に示すように、反射笠１０は、複数の四角形の金属板１（以後、単に「四角金属板１」と称する）から構成される。反射笠１０には光源ランプ（図示せず）が装着され、四角金属板１は、光源ランプが取り付けられた状態で光源ランプを段状に取り囲むように構成される。四角金属板１の形状やサイズは、光源ランプの照射範囲、光源ランプを天井等に設置したときの高さ等に応じて適切なものが選択される。図１に示すように、反射笠１０の上部には光源ランプを反射笠１０に挿入するための開口部が設けられ、この開口部は反射笠１０における光源ランプの取り付け位置２となる。反射笠１０は、複数の四角金属板１を連接して配置したものであり、図２に示すように、一つの四角金属板１ａを例にとると、四角金属板１ａの横方向に四角金属板１ｂ，１ｄが隣接し、上下方向に四角金属板１ｃ，１ｅが隣接している。そして、四角金属板１は、図２（ａ）に示すように、平面視で円環状に配置され、さらに、図２（ｂ）に示すように、側面視で７段に配置される。従って、反射笠１０の全体的な形状は、図１に示すように、取り付け位置２を中心として、下方に椀状に広がったものとなる。なお、四角金属板１の段数は、７段以上とすることも可能である。このような多段の反射笠１０は、デザイン性に優れた照明器具となり、単に室内を照らすという実用品の役割だけではなく、インテリアとしての機能も備えている。
【００２９】
反射笠１０を構成する四角金属板１は、光源ランプの光を効率よく反射するように、反射率の高い材料、例えば、アルミニウム、鉄、銀、各種合金等で構成することができる。これらのうち、加工の容易性、重量、コスト等を考慮すると、四角金属板１を構成する材料はアルミニウムとすることが好ましい。また、四角金属板１は、表面処理を行うことにより、拡散率を調整することができる。表面処理としては、例えば、サンドブラスト等による物理的処理や、化学研磨液等による化学的処理などが挙げられる。四角金属板１の最適な反射率及び拡散率に関しては、後で詳述する。
【００３０】
＜四角形の金属板＞
本発明の反射笠１０を構成する四角金属板１に関して、従来の反射笠１０´を構成する四角金属板１´と対比しながら説明する。図３は、光源ランプ３に反射笠を設けたときの光の照射状態の説明図であり、図３（ａ）は本発明の反射笠１０による光の照射状態の説明図であり、図３（ｂ）は、従来の反射笠１０´による光の照射状態の説明図である。従来の反射笠１０´では、反射笠１０´を構成する複数の四角金属板１´の光の反射率及び拡散率は、全て同一のものが使用されていた。この場合、光が四角金属板１´に反射し、その光は反射笠１０´から下方に出射される。このとき、四角金属板１´に反射して生じる光源ランプ３の反射像の数は、これら四角金属板１´の枚数分（７段×１６面＝１１２枚）となるから、反射像（投影像）の数は１１２となる。このように、反射像の数が多いため、反射光（投影光）のキメが細かく、ムラの少ない均一な光となり、また、照度が強い光となる。そして、図３（ｂ）に示すように、光が照射される照射領域Ｒ２の輪郭は、その周囲の非照射領域との境界が区別できる程度に明瞭となる。また、反射笠１０´は、同一の反射率及び拡散率の四角金属板１´から構成されているため、照度分布が略均一となるように、光は反射笠１０´の周縁から出射される。このことから、四角金属板１´として反射率及び拡散率が優れているものを用いれば、図３（ｂ）に示すように、光の照射距離Ｌ２（光源ランプ３から照射領域Ｒ２までの距離）をある程度長くすることが可能である。
【００３１】
これに対し、「背景技術」で説明したように、商業店舗等によっては、必ずしも光が強いことや、室内の隅々までを明瞭に照らすことが望まれるわけではなく、空間を全体的にぼんやりと照らしたい場合もある。この場合、従来の反射笠１０´では適切に対応することは困難である。そこで、本発明者は、反射笠１０を構成する複数の連接した四角金属板１を、光の反射率及び／又は拡散率が異なるもので構成すれば、特別な付属品や装置等を用いなくても、空間が全体的にぼんやりとするような照射が可能となるのではないかと考えた。これを実現するために、本発明者は鋭意研究の末、反射笠１０の構成部材として特性が異なる複数種の金属板を連接させたものを用いることが有効であることを見出した。そのような四角金属板１として、例えば、二種類の金属板（第一金属板、及び第二金属板）が用いられる。本発明の反射笠１０においては、第一金属板として光の拡散率が６０〜７８％、第二金属板として光の拡散率が１２％未満のものが好適に使用される。より好適には、第一金属板として光の拡散率が７２〜７８％、第二金属板として光の拡散率が５％未満のものが使用される。光の反射率については、第一金属板の反射率が９７〜９８％、第二金属板の反射率が９４〜９５％のものが好適に使用される。より好適には、第一金属板の反射率が９７％、第二金属板の反射率が９５％のものが使用される。本発明の反射笠１０は、多数の四角金属板１を備えるため（７段×１６面＝１１２枚）、これら複数の四角金属板１によって生じる光はある程度の強度を有する。一方で、第一金属板、及び第二金属板は、両者の拡散率が大きく異なることから、図３（ａ）に示すように、光は反射笠１０の周縁から椀状に出射され、照射範囲を広げることができる。ここで、第一金属板、及び第二金属板は、互いに反射率及び／又は拡散率が異なるため、光の照度分布が広くなり、光が照射される照射領域Ｒ１と、その周囲の非照射領域との境界が曖昧なものとなる。また、上記のとおり、光は反射笠１０の周縁から椀状に出射されるが、光の照度分布が広いため、光源ランプ３から照射領域Ｒ１までの距離Ｌ１は従来の反射笠１０´を用いた場合の距離Ｌ２よりも短くなる。従って、反射笠１０を用いて光源ランプ３の光を照射した場合、ある程度の明るさを維持しながら、全体的にぼんやりとした雰囲気を醸し出す特徴的な照明空間を作り出すことができる。本発明の反射笠１０を用いると、上記のような特徴的な照射が可能となるため、例えば、商業施設等の照明に好適に利用することができる。
【００３２】
＜四角形の金属板の配置＞
本発明の反射笠１０における四角金属板１の全体的な配置は上記のとおりであるが、第一金属板、及び第二金属板の配置に関して詳細に説明する。ここでは、図２（ａ）、及び（ｂ）に示されている反射笠１０の任意の位置に配置されている四角金属板１ａを取り挙げる。四角金属板１ａは、当該四角金属板１ａと隣接する四つの四角金属板１ｂ，１ｃ，１ｄ，１ｅのうち少なくも一つと反射率及び／又は拡散率が異なるように、反射率及び拡散率が設定される。例えば、四角金属板１ａと上下方向に隣接する四角金属板１ｃ，１ｅとが反射率及び拡散率が同じものとし、四角金属板１ａと横方向に隣接する四角金属板１ｂ，１ｄとが反射率及び／又は拡散率が異なるものとする。この場合、四角金属板１ａ，１ｃ，１ｅが第一金属板となり、四角金属板１ｂ，１ｄが第二金属板となる。このように第一金属板、及び第二金属板を配置すると、種類の異なる金属板の反射特性及び拡散特性が重なり合って、図３（ａ）に示されるように、第一金属板、及び第二金属板による光の照度分布が広くなる。このため、反射笠１０を用いると、光源ランプ３から照射領域Ｒ１までの距離Ｌ１は、従来の反射笠１０´を用いた場合の距離Ｌ２よりも短くなるが、光は反射笠１０の周縁から椀状に広範囲に出射される。そして、照射領域Ｒ１と、その周囲の非照射領域との境界が曖昧なものとなり、ある程度の明るさを維持しながら、全体的にぼんやりとした雰囲気を醸し出す特徴的な照明空間を作り出すことができる。
【００３３】
本発明の反射笠１０は、光源ランプ３として、メタルハライドランプ、セラミックメタルハライドランプ、高圧ナトリウムランプ、及び水銀ランプを適用することができる。これらのうち、メタルハライドランプが好適に用いられる。メタルハライドランプは、本発明の反射笠１０との相性が良く、上述した特徴的な照明空間を効果的に作り出すことができる。メタルハライドランプは、管径がφ２０〜８０（ｍｍ）、好適にはφ４８〜５５（ｍｍ）であり、性能（出力）が１００〜２０００Ｗ、好適には２５０〜４００Ｗのものを使用することができる。このようなメタルハライドランプは、本発明の反射笠１０との相性が特に優れているため、特徴的な照明空間を作り出すことに有効である。
【００３４】
＜第一実施形態＞
図４は、第一実施形態に係る反射笠２０を示す図であり、図４（ａ）は、反射笠２０の平面図であり、図４（ｂ）は、反射笠２０の側面図である。上述の「四角形の金属板の配置」に従って、第一金属板、及び第二金属板を組み合わせて第一実施形態の反射笠２０を構成した。反射笠２０は、光源ランプ（図示せず）の取り付け位置２を中心として（すなわち、取り付け位置２から見て）、同一の反射率及び拡散率である四角金属板１が放射状に配置されている。図４において、薄暗色を付した四角金属板１を第一金属板１Ａとし、明白色の四角金属板１を第二金属板１Ｂとする。このような配置とした場合、光は効果的に反射笠２０の周縁から椀状に出射される。このとき、光の照射領域（図３（ａ）の照射領域Ｒ１に相当する）と、その周囲の非照射領域との境界が曖昧となり、照射された空間はある程度の明るさを維持しながら、光の照度分布が広くなるため、全体的にぼんやりとした雰囲気を醸し出すことができる。また、第一金属板１Ａと第二金属板１Ｂとは、反射率及び／又は拡散率が異なるため、金属板に表面処理加工が施されている場合は、表面に形成される凹凸等によって第一金属板１Ａ、及び第二金属板１Ｂの外観が異なるように見える。特に、反射笠２０の材料が金属であるため、見る角度によって印象が変わる。従って、反射笠２０は、外観の意匠性が向上し、照明器具としての機能だけではなく、デザイン性に優れたインテリア製品として消費者の注目を惹き付け易いものとなる。
【００３５】
＜第二実施形態＞
図５は、第二実施形態に係る反射笠３０を示す図であり、図５（ａ）は、反射笠３０の平面図であり、図５（ｂ）は、反射笠３０の側面図である。上述の「四角形の金属板の配置」に従って、第一金属板、及び第二金属板を組み合わせて第二実施形態の反射笠３０を構成した。反射笠３０は、光源ランプ（図示せず）の取り付け位置２を中心として、同一の反射率及び拡散率である四角金属板１が同心円状に配置されている。図５において、薄暗色を付した四角金属板１を第一金属板１Ａとし、明白色の四角金属板１を第二金属板１Ｂとする。このような配置とした場合、第一実施形態の反射笠２０と同様に、光は効果的に反射笠３０の周縁から椀状に出射される。このとき、光の照射領域（図３（ａ）の照射領域Ｒ１に相当する）と、その周囲の非照射領域との境界が曖昧となり、照射された空間はある程度の明るさを維持しながら、光の照度分布が広くなるため、全体的にぼんやりとした雰囲気を醸し出すことができる。また、図５に示すように、反射笠３０における、第一金属板１Ａ、及び第二金属板１Ｂの配置は、第一実施形態の反射笠２０とは異なり、同心円状となっている。このため、反射笠３０は、意匠性の高い外観を有し、第一実施形態の反射笠２０とは異なった印象を与える。そして、反射笠２０と同様に、反射笠３０も照明器具としての機能だけではなく、デザイン性に優れたインテリア製品として消費者の注目を惹き付け易いものとなる。さらに、反射笠３０の各段に配置される四角金属板１は、第一金属板１Ａ又は第二金属板１Ｂのみで構成されることから、同一の四角金属板１どうしを円環状に連接させて反射率及び／又は拡散率が異なる二種類の円環状部材を構成し、それらを交互に接続して段状に組み立てるという工程により製造することができる。このため、反射笠３０は、特殊な工具や技術等を必要とせず、容易に製造可能であり、効率の良い製造が可能となる。
【００３６】
＜第三実施形態＞
図６は、第三実施形態に係る反射笠４０を示す図であり、図６（ａ）は、反射笠４０の平面図であり、図６（ｂ）は、反射笠４０の側面図である。上述の「四角形の金属板の配置」に従って、第一金属板、及び第二金属板を組み合わせて第三実施形態の反射笠４０を構成した。反射笠４０は、光源ランプ（図示せず）の取り付け位置２を中心として、いわゆる「市松模様」のように、同一の反射率及び拡散率である四角金属板１が頂点を共有するように配置されている。図６において、薄暗色を付した四角金属板１を第一金属板１Ａとし、明白色の四角金属板１を第二金属板１Ｂとする。このような配置とした場合、第一実施形態の反射笠２０と同様に、光は効果的に反射笠４０の周縁から椀状に出射される。このとき、光の照射領域（図３（ａ）の照射領域Ｒ１に相当する）と、その周囲の非照射領域との境界が曖昧となり、照射された空間はある程度の明るさを維持しながら、光の照度分布が広くなるため、全体的にぼんやりとした雰囲気を醸し出すことができる。また、図６に示すように、反射笠４０は、第一金属板１Ａ、及び第二金属板１Ｂの配置が、第一実施形態の反射笠２０や、第二実施形態の反射笠３０とは異なっている。このため、反射笠４０は、意匠性の高い外観を有し、第一実施形態の反射笠２０や第二実施形態の反射笠３０とは異なった印象を与える。そして、反射笠２０や反射笠３０と同様に、反射笠４０も照明器具としての機能だけではなく、デザイン性に優れたインテリア製品として消費者の注目を惹き付け易いものとなる。
【００３７】
上記にて、第一実施形態〜第三実施形態に係る反射笠２０，３０，４０を説明したが、これらの反射笠による照射の効果は、いずれも略同等である。しかし、各実施形態において、第一金属板１Ａ、及び第二金属板１Ｂの配置が異なるため、反射笠の外観が夫々特徴的であり、優れたデザイン性を有する。このため、本発明の反射笠を室内に設置する際、使用者の好みに応じた構成の反射笠２０，３０，又は４０を選択することができる。また、本発明の反射笠を複数設置する場合も、使用者の好みに応じた構成の反射笠を組み合わせて使用することができる。このように、本発明の反射笠は、全体的にぼんやりとした雰囲気を醸し出す照明空間を作り出す手段として機能するとともに、優れたデザイン性も有するため、インテリア製品として有効に活用することができる。
【００３８】
＜第四実施形態＞
上記した第一実施形態〜第三実施形態に係る反射笠は、複数の連接した四角金属板１が平面視で円環状に配置され、且つ側面視で７段に配置されている構成となっていたが、段数をさらに増加させることもできる。第四実施形態では、その一例として、１２段に構成した反射笠５０について説明する。図７は、第四実施形態に係る反射笠５０を示す図であり、図７（ａ）は、反射笠５０の平面図であり、図７（ｂ）は、反射笠５０の側面図である。上述の「四角形の金属板の配置」に従って、第一金属板、及び第二金属板を組み合わせて第四実施形態の反射笠５０を構成した。反射笠５０は、光源ランプ（図示せず）の取り付け位置２を中心として、同一の反射率及び拡散率である四角金属板１が放射状に配置されている。図７において、薄暗色を付した四角金属板１を第一金属板１Ａとし、明白色の四角金属板１を第二金属板１Ｂとする。このように配置した場合、第一実施形態〜第三実施形態に係る反射笠よりも四角金属板１の枚数が多くなるので（１２段×１６面＝１９２枚）、これら複数の四角金属板１によって生じる反射像が多くなる。一方で、第一金属板１Ａ、及び第二金属板１Ｂは拡散率が大きく異なることから、光は反射笠５０の周縁から椀状に出射され、光の照射範囲は、第一実施形態〜第三実施形態に係る反射笠を用いた場合よりも広くなる。そして、第一実施形態〜第三実施形態に係る反射笠と同様に、光が照射される照射領域（図３（ａ）の照射領域Ｒ１に相当する）と、その周囲の非照射領域との境界が曖昧なものとなる。従って、第四実施形態の反射笠５０を用いて光源ランプの光を照射した場合、照射された空間はある程度の明るさを維持しながら、光の照度分布が広くなるため、全体的にぼんやりとした雰囲気を醸し出す照明空間を作り出すことができる。このように、反射笠５０であれば、より広い空間に対して光を照射することができる。
【００３９】
また、第四実施形態の反射笠５０は、第一実施形態〜第三実施形態に係る反射笠２０，３０，４０と同様に、第一金属板１Ａ、及び第二金属板１Ｂの外観の相違から、意匠性の高い反射笠となり、さらに段数が側面視で１２段もあることから、第一実施形態〜第三実施形態に係る反射笠とは異なった印象を与える反射笠となる。これにより、反射笠５０も照明器具としての機能だけではなく、デザイン性に優れたインテリア製品として消費者の注目を惹き付け易いものとなる。
【００４０】
なお、第四実施形態の１２段に構成した反射笠５０についても、光源ランプの取り付け位置２を中心として、同一の反射率及び拡散率である四角金属板１が同心円状に配置する構成や、光源ランプの取り付け位置２を中心として、同一の反射率及び拡散率である四角金属板１が頂点を共有するように配置する構成とすることも可能である（図示せず）。これらの反射笠は、第一金属板１Ａ、及び第二金属板１Ｂの配置が異なるため、反射笠の外観が夫々特徴的なものとなり、優れたデザイン性を有する。
【００４１】
また、上記のとおり、本発明の反射笠は、第一実施形態〜第三実施形態の反射笠と、第四実施形態の反射笠とでは、光の照射状態が異なる。このため、照射したい場所の環境に応じて、最適な反射笠を選択することができる。さらに、各実施形態において、反射笠の外観は異なっているため、使用者の好みに応じて反射笠を組み合わせてインテリア製品として使用することもできる。このように、本発明の反射笠であれば、全体的にぼんやりとした雰囲気を醸し出す照明空間を作り出せるとともに、優れたデザイン性を有するインテリア製品としての利用も可能であるため、使用者にとって利便性の高い反射笠となり得る。
【産業上の利用可能性】
【００４２】
本発明の反射笠は、ルームライト、ダウンライト、スポットライト、車両用ヘッドライト等の照明器具において、好適に利用することができる。
【符号の説明】
【００４３】
１                              四角形の金属板（四角金属板）
１ａ，１ｂ，１ｃ，１ｄ，１ｅ    四角形の金属板（四角金属板）
１Ａ                            第一金属板
１Ｂ                            第二金属板
２                              取り付け位置
３                              光源ランプ
１０                            反射笠
２０，３０，４０，５０          反射笠
【図１】
2016091656.tif 000003
【図２】
2016091656.tif 000004
【図３】
2016091656.tif 000005
【図４】
2016091656.tif 000006
【図５】
2016091656.tif 000007
【図６】
2016091656.tif 000008
【図７】
2016091656.tif 000009